(57)【要約】【課題】トルマリン鉱石をモルタル等で固めた平坦な岩盤等で構成されるベッドや椅子に横たわったり、座ったりするだけで、強烈な発汗作用が起き、温熱治療効果、痩身効果、美容効果、癒し効果等、健康維持、自然治癒力増進の効果が得られるシステムを提供する。【解決手段】サウナほど室温を上げなくても、床暖房でトルマリン鉱石を暖めることにより、鉱石から自然に発生されるマイナスイオン、遠赤外線効果を最大限に活かせることを特徴とする。また、サウナに比し、部屋を広く設定でき、リラックスできるため、高齢者に喜ばれ、建設コスト、ランニングコストも低いため、営業上のメリットも大である。【選択図】図１
2004130047.tif 000002
【特許請求の範囲】
【請求項１】
気密性・断熱性の高い部屋（１）に、床暖房システム（２）を設置し、その上にトルマリン鉱石等を珪砂入りモルタル等で固めた平坦な岩盤等で構成されるベッド（７）及び椅子（８）。
【発明の詳細な説明】
【０００１】
【発明の属する技術分野】
トルマリン鉱石より発せられるマイナスイオン効果と遠赤外線効果については、周知のところである。
この発明は、トルマリン鉱石の有するマイナスイオン効果と遠赤外線効果に着目し、トルマリン鉱石をモルタル等で固めた平坦な岩盤等で構成されるベッドに横たわったり、椅子に座ったりしてリラックスした状態で、身体を暖めることにより生じる強烈な発汗作用によって、温熱治療効果、痩身効果、美容効果、癒し効果等、健康維持、自然治癒力増進が得られるシステム（以下「岩盤浴」という）に関するものである。
【０００２】
【従来の技術】
従来、発汗作用が得られるものとして、いわゆるサウナがある。
しかし、発汗作用の点では共通だとしても、まず、汗の性質が異なる。すなわち、本発明は、トルマリンより発せられるマイナスイオンに非常な重きを置いているが、通常の汗に比べ、マイナスイオン効果により、汗の内容が全く異なるのである。トルマリンは、電気石と呼ばれ、微弱な電流を持っており、熱等を加えられるとマイナスイオンを発生する特質を有していることは周知の事実である。
通常、汗をかくことにより身体の老廃物も流出してくるため、異臭がしてくるものである。これは老廃物が酸化、つまりプラスの静電気を帯電している状態である。しかし、トルマリンから発せられるマイナスイオンと出会うことにより、その老廃物は中和され、清浄化されることになるのである。それが証拠に岩盤浴により汗だくになっても異臭はせず、そのままシャワー・風呂も浴びずに過ごしても、身体のべたつき感は全くない。むしろ、シャワー等で洗い流すのではなく、マイナスイオンをたっぷり吸収した汗は美容エステ的にも効用があるため、タオルで軽く拭く程度にとどめるべきである。汗だくになりながら風呂にも入らないでよいということは、不可思議で固定観念にも反するが、これがトルマリン岩盤浴の大きな特徴の一つである。
次に、サウナは裸で入浴するのが通常であるのに対し、岩盤浴は着衣状態で入る点で全く異なる。すなわち、マイナスイオンは衣服を自由に通過するため、岩盤浴に入るにはサウナのように裸になる必要は全くなく、汗をかいてもよい通気性の良い衣服を着用して入浴することができる。そのため、男女同一の部屋での混浴も可能であり、建築コストを抑えることができる。
【０００３】
【発明が解決しようとする課題】
サウナとの差は種々述べたが、さらにサウナの問題点として、サウナは発汗を促そうとして石を焼いたりして室温を高温に設定するため、逆上せたり、息苦しくなったりして、体質的に合わない者も多い。また、通常、サウナでは焼いた石の近くに座らなければならないため、部屋を広く設定することができず、肩を寄せ合って座るようなことになり、窮屈で圧迫感を与え、癒し効果が少ない。
【０００４】
【課題を解決するための手段】
室内温度をそれ程上げなくても、床暖房により身体をただ床材に横たえるだけで、トルマリン鉱石から発する遠赤外線効果等により、発汗作用を促すことができるようになった。したがって、長時間、滞在していても、息苦しくなったり、逆上せたりすることはなくなった。また、床暖房方式であるため、部屋を広く設定できることとなった。したがって、大勢の人が手足を十分に伸ばして入浴することが可能となり、入浴者は十分な癒し効果を得ることができるし、経営者にとっては営業上のメリットが大きい。
【０００５】
【発明の実施の形態】
以下、本発明の実施の形態について説明する。
（イ）気密性・断熱性の高い部屋（１）に床暖房システム（２）を敷く。床暖房システムは市販の一般的なものでよいが、高めに温度設定できるものが好ましい。また、トルマリンは時々（２、３週間に一度程度）天日干しすると活性化するため、部屋には採光の良い窓があれば好ましい。
（ロ）割合比率珪砂入りモルタル１００に対し、５程度の比率でトルマリンのパウダー、同じく５程度の比率で小豆大のトルマリン原石を混ぜたものを床材として、床暖房システムの上に１０ｃｍ程の厚さで平らに盛っていき、岩盤（３）とする。
（ハ）横たわった人の肩、腰、膝、踵に当たるように、１辺が１５ｃｍ角のトルマリン入りのタイル又は陶器等（４）を意匠に留意しつつモルタル上に埋め込む。さらに、その周囲に適当な大きさのトルマリン玉石（５）も埋め込む。モルタルが完全に固まれば岩盤（３）が完成。岩盤浴には、レンガ又は木製の仕切り板（６）で区切り、横たわって利用するベッドタイプ（７）が中心となるが、足浴等のために腰掛けて利用する椅子タイプ（８）も設置する。
（ニ）通路部分は広めに設定し、その上には簀の子（９）を置く。仕切り版とベッドの間に適当な大きさ（２ｃｍ前後）の溝（１０）、通路には若干の窪みを設け、そこに水気がたまるようにし、水蒸気が発生しやすい環境にし、室内の湿度を調整する。湿度が高ければマイナスイオン効果も上がるため、湿度は高め（眼鏡に水蒸気が付着する程度）に設定する。
本発明は以上のような構造で、これを使用するときは、床暖房システム（２）のリモコンで、岩盤（３）の表面の温度を適度（４０〜４７度程度）に調整する。入浴者は、バスタオル又はシーツ（できればトルマリンの混入した繊維のものがよい）を持参し、それをベッドの上に敷いて、直接岩盤部分に肌が触れないようにして横たわる。熱すぎると感じる者は、シーツ等を２枚にするなどして温度調整を図る。しばらくすると汗が滝のように流れてくるので、水分を十分補給しながら、２０分に１回の割合で休憩をとり、それを２，３度繰り返す。
終了後は、汗を軽く拭く程度にとどめ、できればシャワー等は浴びない方がよい。
【０００６】
【発明の効果】
入浴者は、トルマリン鉱石から発せられるマイナスイオン、遠赤外線効果により、大量の発汗が促され、血液の循環もよくなり、血液の弱アルカリ化、温熱治療効果、鎮痛効果、痩身効果、爽快感等が得られ、肌もすべすべになり、疲労回復、健康維持、自然治癒力増進、美容にも資することができる。サウナに比し、室内が広く、ゆったりとした空間がとれ、室温もそれ程高温ではないため、長時間、滞在しても、サウナのように息苦しくなったりすることはなく、また横たわってリラックスした状態で入浴できるため、十分な癒し効果も得られる。特に中高年世代に受け入れられやすく、彼らの健康維持、増進が図れ、ひいては医療費の負担の軽減にも資する。さらに、一度に大量の人が利用できる点で、デイサービスのメニューに組み込むことも可能であると思われる。
このような健康に対する効能のほか、建設コスト、ランニングコストも比較的安価であるため、空店舗対策や手頃なまちおこし・むらおこしの手段としても活用できる。特に、高齢者の多い地域では、その地域のボランティア団体に管理を委託すれば、宣伝費をあまりかけなくても、口コミ等で高齢者に広めてもらえ、高齢者の集える場所として地域のコミュニティとして、地域福祉、地域社会の発展にも資することができる。
なお、今回は営業用としてある程度広い部屋を想定しているが、気密性・断熱性の高い部屋があれば、各家庭の一室でも十分設置可能であるし、コンテナ等を活用して移動式タイプとしても応用可能である。
【図面の簡単な説明】
【図１】本発明の平面図
【図２】本発明の部分拡大図
【図３】本発明の要部断面図
【符号の説明】
（１）　気密性・断熱性の高い部屋
（２）　床暖房システム
（３）　岩盤
（４）　トルマリン入りのタイル又は陶器等
（５）　トルマリンの玉石
（６）　レンガ又は木製の仕切板
（７）　岩盤ベッドタイプ
（８）　岩盤椅子タイプ
（９）　簀の子
（１０）　適当な大きさの溝
【図１】
2004130047.tif 000003
【図２】
2004130047.tif 000004
【図３】
2004130047.tif 000005